(57)【要約】【課題】基板上の予め定められた各検査箇所にそれぞれマーキングを行うことで、基板上に適切に回路あるいは素子等の実装対象物が実装されているか否かを検査する場合に、検査のし忘れを防止して検査の正確性を向上させることが可能な実装状態検査装置を提供する。【解決手段】マーキングユニット２０のペンを用いて、検査者が基板上の検査箇所をマーキングする毎にカウンタ１２のカウンタ値がインクリメントされ、カウンタ値が予め設定された基準カウンタ値に達した時点で、すべての検査箇所のマーキングが終了したことが通知部６０より検査者に通知される。【選択図】図１
2009295938.tif 000002
【特許請求の範囲】
【請求項１】
回路あるいは素子等の実装対象物が実装された基板上に前記実装対象物に対応するように予め複数個の検査箇所を定めておき、当該各検査箇所において所定の検査が行われる都度検査済みであることを確認することで、当該基板の実装検査を行う実装状態検査装置であって、
前記各検査箇所に検査済みであることを表す検査済みマークをマーキングする筆記具と、当該筆記具に装着されて前記検査済みマークを前記検査箇所にマーキングする毎にスイッチング動作を行うメカニカルスイッチと、を有して構成するマーキング手段と、
前記メカニカルスイッチのスイッチング動作毎にカウント値をインクリメントするカウンタと、
前記カウンタのカウント値を外部に通知するカウント値通知手段と、
を備える実装状態検査装置。
【請求項２】
請求項１に記載の実装状態検査装置において、
前記カウンタは、カウント値をインクリメントしてから予め定められた期間が経過するまでは、たとえ前記メカニカルスイッチのスイッチング動作がなされたとしても当該スイッチング動作に対するカウント値のインクリメントを行わないことを特徴とする実装状態検査装置。
【請求項３】
請求項１または２に記載の実装状態検査装置において、
前記カウンタのカウント値が予め設定された基準カウント値に達したことに対応して、カウント値が当該基準カウント値に達したことを外部に通知する通知手段を備えることを特徴とする実装状態検査装置。
【請求項４】
請求項３に記載の実装状態検査装置において、
前記基準カウント値となるべき標準カウント値を複数種類記憶しておき、これら記憶された複数種類の標準カウント値の中から一の標準カウント値を選択し、当該選択された一の標準カウント値を前記基準カウント値として設定する基準カウント値選択設定手段を備えることを特徴とする実装状態検査装置。
【請求項５】
請求項１乃至４のいずれか一つに記載の実装状態検査装置において、
前記メカニカルスイッチのスイッチング動作毎に、前記カウンタがインクリメントされたことを外部に通知するインクリメント通知手段を備えることを特徴とする実装状態検査装置。
【請求項６】
請求項１乃至５のいずれか一つに記載の実装状態検査装置において、
前記カウンタのカウント値をデクリメントするデクリメント手段を備えることを特徴とする実装状態検査装置。
【発明の詳細な説明】
【技術分野】
【０００１】
本発明は、基板に適切に素子あるいは回路等の実装対象物が実装されているかを検査するための実装状態検査装置に関する。
【背景技術】
【０００２】
基板に適切に素子あるいは回路等の実装対象物が実装されているかを検査するために各種の実装状態検査方法が提案されている。例えば、基板上の予め定められた検査箇所、例えば、基板上に実装される素子や回路等の実装対象物が所定の半田付け箇所に正しく半田付けされていることを検査者が確認し、すべての検査箇所が問題なければ、素子あるいは回路等実装対象物がすべて正しく基板上に実装されていると判断することで検査を行うことがある。
【０００３】
このように基板上の予め定められた検査箇所を検査者が確認する検査の場合、検査者が一部の検査箇所の確認を忘れるなど人為的なミスを防止するために、検査者が基板上の検査済みの各検査箇所にマーキングペンなどの筆記具でマーキングすることにより目印を付けておき、マーキング個数が所定の基準個数に達しているか否かで、判断して検査を行うことがある。
【０００４】
しかしながら、上記のように検査者が基板上にマーキングペンなどで目印を付けて検査を行う場合でも、確認済みの検査箇所の数を誤るなどの人為的なミスが発生する可能性があり、検査のし忘れを防止する対策としては必ずしも十分とは言えない。
【０００５】
特許文献１には、検査装置に用いられるペンではないが、ペン先の押圧力によりオンすることで、信号を送出するスイッチと、スイッチをオフ状態に復帰させるバネとを備えるタッチペンが開示されている。
【特許文献１】特開平７−１６０３９７号公報。
【発明の開示】
【発明が解決しようとする課題】
【０００６】
しかし、特許文献１に開示されたタッチペンは、あくまでコンピュータやワードプロセッサ等において、文字や線図等の入力に用いられる情報入力ペンであり、基板上に目印を付けるようなペンとして用いることはできない。
【０００７】
本発明は、基板上の予め定められた各検査箇所にそれぞれマーキングを行うことで、基板上に適切に回路あるいは素子等の実装対象物が実装されているか否かを検査する場合に、検査のし忘れを防止して検査の正確性を向上させることが可能な実装状態検査装置を提供することを目的とする。
【課題を解決するための手段】
【０００８】
本発明に係る実装状態検査装置は、回路あるいは素子等の実装対象物が実装された基板上に前記実装対象物に対応するように予め複数個の検査箇所を定めておき、当該各検査箇所において所定の検査が行われる都度検査済みであることを確認することで、当該基板の実装検査を行う実装状態検査装置であって、前記各検査箇所に検査済みであることを表す検査済みマークをマーキングする筆記具と、当該筆記具に装着されて前記検査済みマークを前記検査箇所にマーキングする毎にスイッチング動作を行うメカニカルスイッチと、を有して構成するマーキング手段と、前記メカニカルスイッチのスイッチング動作毎にカウント値をインクリメントするカウンタと、前記カウンタのカウント値を外部に通知するカウント値通知手段と、を備えることを特徴とする。
【０００９】
本発明に係る実装状態検査装置によれば、筆記具によりマーキングが行われる毎にマーキング手段のメカニカルスイッチがスイッチング動作を行い、当該メカニカルスイッチのスイッチング動作に対応してカウンタのカウント値がインクリメントされ、カウンタのカウント値が外部に通知されるので、検査者が自身で検査済みの検査箇所の数を確認する場合よりも、検査者による検査のし忘れが防止でき、当該検査の正確性を向上させることができる。
【００１０】
本発明に係る実装状態検査装置の一つの態様では、前記カウンタは、カウント値をインクリメントしてから予め定められた期間が経過するまでは、たとえ前記メカニカルスイッチが押下されたとしても当該押下に対するカウント値のインクリメントを行わないことを特徴とする。
【００１１】
本発明に係る実装状態検査装置の一つの態様によれば、カウント値をインクリメントしてから予め定められた期間が経過するまでは、たとえメカニカルスイッチがスイッチング動作を行ったとしても当該スイッチング動作に対するカウント値のインクリメントを行わないので、同じ検査箇所をマーキングしている間に、カウンタ値が複数回インクリメントされることを防止することができる。
【００１２】
本発明に係る実装状態検査装置の一つの態様では、前記カウンタのカウント値が予め設定された基準カウント値に達したことに対応して、カウント値が当該基準カウント値に達したことを外部に通知する通知手段を備えることを特徴とする。
【００１３】
本発明に係る実装状態検査装置の一つの態様によれば、カウント値が基準カウント値に達したことが外部に通知されるので、検査者はカウント値を確認しなくても容易にすべての検査箇所のマーキングが終了したことを把握することができる。
【００１４】
本発明に係る実装状態検査装置の一つの態様では、前記基準カウント値となるべき標準カウント値を複数種類記憶しておき、これら記憶された複数種類の標準カウント値の中から一の標準カウント値を選択し、当該選択された一の標準カウント値を前記基準カウント値として設定する基準カウント値選択設定手段を備えることを特徴とする。
【００１５】
本発明に係る実装状態検査装置の一つの態様によれば、基準カウント値選択設定手段を用いて容易に基準カウント値を実装基板の種類毎に対応した基準カウント値に設定することができ、一般的な検査装置として構成することができる。
【００１６】
本発明に係る実装状態検査装置の一つの態様では、前記メカニカルスイッチがスイッチング動作を行う毎に、前記カウンタがインクリメントされたことを外部に通知するインクリメント通知手段を備えることを特徴とする。
【００１７】
本発明に係る実装状態検査装置の一つの態様によれば、メカニカルスイッチがスイッチング動作を行う毎に、カウンタがインクリメントされたことが外部に通知されるため、検査者はカウンタ値を確認しなくても、カウンタがインクリメントされたことを容易に把握することができる。
【００１８】
本発明に係る実装状態検査装置の一つの態様では、前記カウンタのカウント値をデクリメントするデクリメント手段を備えることを特徴とする。
【００１９】
本発明に係る実装状態検査装置の一つの態様によれば、カウンタのカウント値をデクリメントするデクリメント手段を備えているので、たとえカウンタの誤動作でカウント値がインクリメントされた場合でも、容易に正しい値に戻すことができる。
【発明の効果】
【００２０】
本発明によれば、筆記具によりマーキングが行われる毎にマーキング手段のメカニカルスイッチがスイッチング動作を行い、当該メカニカルスイッチのスイッチング動作に対応してカウンタのカウント値がインクリメントされ、カウンタのカウント値が外部に通知されるので、検査者が自身で検査済みの検査箇所の数を確認する場合よりも、検査者による検査のし忘れが防止でき、当該検査の正確性を向上させることができる。
【発明を実施するための最良の形態】
【００２１】
本発明を実施するための最良の形態（以下、「実施形態」と称す。）について、以下、図面を用いて説明する。
【００２２】
本実施形態に係る実装状態検査装置は、基板上の回路や素子などの実装対象物が設計通りに実装されているかどうかを検査する装置である。より具体的には、基板上の半田付け箇所など予め定められた検査箇所を検査者に検査させ、合格と判定した検査箇所をマーキングペンなどの筆記具でマーキングさせる。実装状態検査装置は、カウンタを有し、検査者が筆記具を用いてマーキングを行うことにより筆記具のペン先が基板上に接圧されることに対応して、カウンタ値をインクリメントする。実装状態検査装置には、予め検査対象の基板に応じた検査箇所の総数が基準カウンタ値として設定されており、カウンタ値が基準カウンタ値に達した段階で、すべての検査箇所がマーキングされたと判断して、ユーザにその旨を通知する。
【００２３】
図１は、本実施形態に係る実装状態検査装置の機能ブロックを示す図である。
【００２４】
図１において、制御部１０は、実装状態検査装置を構成する各部を制御するユニットであり、例えば中央処理装置（ＣＰＵ）、ＲＯＭ、ＲＡＭによって構成する。制御部１０は、カウンタ１２のカウンタ値を参照して、カウンタ値が基準カウンタ値記憶部１４に記憶された基準カウンタ値に達した時点で、通知部６０を介して例えばブザー音などの音声でユーザにすべての検査箇所がマークされたことを通知する。なお、本実施形態では、通知手段として、音声で通知する例について説明するが、通知手段は音声には限定されず、例えば、後述のマーキングユニット２０を振動させることで検査者にマークされたことを通知してもよい。
【００２５】
カウンタ１２は、メカニカルカウンタあるいはデジタルカウンタであり、後述の筆記具のペン先が接圧されることに対応してカウンタ値をインクリメントする。
【００２６】
ここで、カウンタ１２は、筆記具のペン先が接圧されることに対応してカウンタ値をインクリメントする場合、検査者のマーキングのやり方によっては、同じ検査箇所をマーキングしている間に、複数回ペン先が接圧され、その度にカウンタ値がインクリメントされ、検査箇所の総数を正しくカウントできない場合がある。
【００２７】
そこで、カウンタ１２は、一度カウント値がインクリメントされてから予め定められた期間が経過するまでは、たとえ筆記具のペン先が接圧された場合（つまり、下記に示すマーキングユニット２０のメカニカルスイッチがスイッチ動作された場合）でも、そのスイッチ動作に対するカウンタ値のインクリメントを行わない。このように所定の期間が経過するまでカウンタ値のインクリメントを禁止することで、同じ検査箇所をマーキングしている間に、カウンタ値が複数回インクリメントされることを防止することができる。
【００２８】
基準カウンタ値記憶部１４は、検査対象の基板に応じた検査箇所の総数に対応する基準カウンタ値を記憶する。
【００２９】
マーキングユニット２０は、筆記具と、当該筆記具のペン先が接圧することに対応して、カウンタをインクリメントするメカニカルスイッチとを含む。マーキングユニット２０の詳細な構成については後述する。
【００３０】
操作部３０は、実装状態検査装置に対して操作者が命令を行う際のユーザインタフェースであり、例えば、基準カウンタ値の設定、カウンタ値のリセット、カウンタ値のデクリメントなどの操作を操作者から受け付ける。
【００３１】
表示部５０は、カウンタ１２の現在のカウンタ値を表示する液晶ディスプレイである。なお、本実施形態では、カウンタ値を通知する手段としてディスプレイに表示する例について説明するが、カウンタ値を通知する手段としては表示部には限定されず、例えば音声でカウンタ値を通知しても構わない。
【００３２】
通知部６０は、音声を出力する電子ブザーなどの汎用ブザーであり、カウンタ値がインクリメントされる毎に制御部１０からの制御命令に対応して音声を出力する。また、通知部６０は、カウンタ値が基準カウンタ値に達した段階で音声を出力する。なお、本実施形態では、通知手段として、音声で通知する例について説明するが、通知手段は音声には限定されず、例えば、マーキングユニット２０を振動させることで検査者にカウンタ値が基準カウンタ値に達したことを通知してもよい。
【００３３】
続いて、図２Ａ，２Ｂを参照して、マーキングユニット２０についてさらに説明する。
【００３４】
図２Ａは、マーキングユニット２０の概略外観図を示し、図２Ｂは、マーキングユニット２０の概略断面図を示す。
【００３５】
図２Ａ，２Ｂに示すように、マーキングユニット２０は、基板上にマーキングを行うための汎用の筆記具としての筆記具２２と、筆記具２２のマーキング動作ごとにスイッチ動作を行うメカニカルスイッチ２８と、筆記具２２をメカニカルスイッチ２８に連結して筆記具２２のマーキング動作をメカニカルスイッチ２８に伝達するスイッチ動作機構２７とを有して構成される。
【００３６】
筆記具２２は、一端側にマーキングを行う筆記部としてのペン先２２ａを有し、他端側は筆記軸取付けキャップ２２ｂが嵌合している。メカニカルスイッチ２８は、スイッチ動作を行わせるプランジャ２８ａを有し、プランジャ２８ａが矢印Ａ方向（筆記具２２の軸方向）に摺動することで、メカニカルスイッチ２８がスイッチ動作を行う。
【００３７】
スイッチ動作機構２７は、プランジャ２８ａに当接する固定ネジ２７ａと、固定ネジ２７ａによって筆記軸取付けキャップ２２ｂの先端に螺着されるスイッチング操作板２７ｂと、筒状体から構成し、筆記具２２を収容するとともに一端側にスイッチング操作板２７ｂを載置する筆記具収容ケース体２４と、筆記具収容ケース体２４の一端側外周壁に嵌着され、天井部２６ａの開口部２６ｂにプランジャ２８ａが貫通して配置されるスイッチ取付けキャップ２６とを有して構成される。従って、プランジャ２８ａは常に不図示のばね手段により固定ネジ２７ａを介してスイッチング操作板２７ｂ側に付勢されている。
【００３８】
このように構成されたマーキングユニット２０は、ペン先２２ａを検査者が基板上に押し当てて基板上にマーキングすることによる基板に対するペン先２２ａの押圧力で筆記具２２がスイッチング操作板２７ｂと共に筆記具収容ケース体２４に対して矢印Ａ方向に相対移動する。スイッチング操作板２７ｂの相対移動に応じてプランジャ２８ａがメカニカルスイッチ２８のスイッチ動作を行う。
【００３９】
スイッチ動作を行うことでスイッチユニット２８は、カウンタ１２にインクリメント指令を出力し、カウンタ１２が当該インクリメント指令を受けて、カウンタ値をインクリメントする。つまり、マーキングユニット２０の筆記具２２を用いて、検査者が基板状の検査箇所をマーキングする毎にカウンタ１２のカウンタ値がインクリメントされる。
【００４０】
また、筆記具２２の筆記軸２２ｃは、筆記軸取付けキャップ２２ｂを介して筆記具収容ケース体２４に着脱可能に固定されている。したがって、たとえ筆記具２２のインクが消耗したとしても、筆記軸２２ｃのみを交換するだけで済む。
【００４１】
図３は、実装状態検査装置の正面概略図を示す。図３に示すように、実装状態検査装置は、操作部３０として、基準カウンタ値の設定を行うためのダイヤルスイッチ３２と、押下する毎にカウンタ１２のカウンタ値がデクリメントするデクリメントスイッチ３４と、カウンタ１２のカウント値をリセットするリセットスイッチ３６とを含む。
【００４２】
ダイヤルスイッチ３２は、基準カウント値選択設定手段を構成すべく、例えば５段階の切り替えスイッチを有して構成され、予め各段に対応して基準カウンタ値を設定しておき、ダイヤルスイッチ３２の設定位置が切り替わる毎に、制御部１０が基準カウンタ値記憶部１４の値を設定位置に応じた基準カウンタ値に更新する。
【００４３】
デクリメントスイッチ３４は、例えば、操作者によるマーキングユニット２０の誤操作などにより、誤ってカウンタ１２のカウンタ値がインクリメントしてしまった際に、カウント値を正しい値に修正する場合に、操作者の操作によりスイッチ動作するスイッチである。制御部１０は、デクリメントスイッチ３４がスイッチ動作されたことを検知すると、カウンタ１２のカウンタ値をデクリメントする。
【００４４】
リセットスイッチ３６は、例えば、検査対象の基板を切り替え、次の基板の検査を行う際に、カウント値を一旦ゼロに戻す場合に操作者の操作によりスイッチ動作するスイッチである。制御部１０は、リセットスイッチ３６がスイッチ動作されたことを検知すると、カウンタ１２のカウンタ値をリセットする、つまりカウンタ値をゼロに戻す。
【００４５】
以上のように構成された実装状態検査装置では、マーキングユニット２０の筆記具２２を用いて、検査者が基板状の検査箇所をマーキングする毎にカウンタ１２のカウンタ値がインクリメントされ、カウンタ値が予め設定された基準カウンタ値に達した時点で、通知部６０を介して、すべての検査箇所のマーキングを終了したことが検査者に通知される。よって、本実施形態に係る実装状態検査装置によれば、検査者が検査箇所のマーキングをする毎に自動的にマーキングを行った数がカウントされ、すべての検査箇所のマーキングが終了した時点で自動的に検査者にその旨が通知されるため、検査箇所の漏れを低減することができ、検査の正確性を向上させることができる。
【００４６】
また、一度カウント値がインクリメントされてから予め定められた期間が経過するまではカウンタ１２によるカウンタ値のインクリメントを禁止することで、同じ検査箇所をマーキングしている間に、カウンタ値が複数回インクリメントされることを防止することができる。
【００４７】
さらに、カウント値がインクリメントする毎に通知部６０を介して音声により検査者にカウント値がインクリメントされたことが通知されるため、検査者は検査箇所をマーキングする毎に、カウント値が確実にインクリメントされたかどうかを目視により確認する手間を省くことができる。また、誤ってインクリメントされた場合にも音声で通知されるため、検査者が容易にカウンタの誤動作の発生を把握することができる。
【００４８】
加えて、実装状態検査装置にデクリメントスイッチ３４を設けることで、たとえカウンタの誤動作でインクリメントされた場合でも、容易に正しい値に戻すことができる。
【産業上の利用可能性】
【００４９】
本発明は、筆記具によりマーキングが行われる毎にマーキング手段のメカニカルスイッチがスイッチング動作を行い、当該メカニカルスイッチのスイッチング動作に対応してカウンタのカウント値がインクリメントされ、カウンタのカウント値が外部に通知されるので、検査者が自身で検査済みの検査箇所の数を確認する場合よりも、検査者による検査のし忘れが防止でき、当該検査の正確性を向上させることができる。したがって、例えば、基板に適切に素子あるいは回路等の実装対象物が実装されているかを検査するための実装状態検査装置などに利用可能である。
【図面の簡単な説明】
【００５０】
【図１】本実施形態に係る実装状態検査装置の機能ブロックを示す図である。
【図２Ａ】マーキングユニットの概略外観図である。
【図２Ｂ】マーキングユニットの概略断面図である。
【図３】実装状態検査装置の正面概略図である。
【符号の説明】
【００５１】
１０    制御部
１２    カウンタ
１４    基準カウンタ値記憶部
２０    マーキングユニット
２２    筆記具
２４    筆記具収容ケース体
２６    スイッチ取付けキャップ体
２７    スイッチ動作機構
２８    メカニカルスイッチユニット
３０    操作部
３２    ダイヤルスイッチ
３４    デクリメントスイッチ
３６    リセットスイッチ
５０    表示部（カウント値通知手段）
６０    通知部（通知手段、インクリメント通知手段）
【図１】
2009295938.tif 000003
【図２Ａ】
2009295938.tif 000004
【図２Ｂ】
2009295938.tif 000005
【図３】
2009295938.tif 000006